(57)【要約】【課題】様々な機種における最適な歩度パルスを選択制御し、安定した歩度測定が可能な電子時計を提供する。【解決手段】歩度パルスを出力した所定時間後に、歩度測定器の返答信号から、歩度測定できたか否かあるいは歩度測定してないかの状態を判定し、測定失敗したと判定した場合は歩度パルスのランク値をランクアップさせ、成功したと判定した場合はランク値を保持するように歩度パルス制御手段８で制御する。歩度測定していないと判定した場合はランク値を最小ランクにする、もしくは歩度測定していないと判定した回数をカウントし、所定値に達した場合歩度パルスを停止することも対応可能である。【選択図】  図６
2015166712.tif 000002
【特許請求の範囲】
【請求項１】
コイルと、該コイルを駆動し磁界を発生させる駆動手段と、
該駆動手段にて前記コイルを駆動するための歩度パルスを出力する歩度パルス波形整形手段と、
を有する電子時計であって、
前記歩度パルス波形整形手段は、複数種類の歩度パルスを出力可能に構成されるとともに、
外部信号により前記コイルに発生する逆起電力を信号に変換する逆起検出手段と、
該逆起検出手段からの出力を受け、前記歩度パルス波形整形手段に対し、
前記複数種類の歩度パルスからの１つの前記歩度パルスを選択指示する歩度パルス制御手段と、
を有することを特徴とする電子時計。
【請求項２】
前記複数種類の歩度パルスは、パルス幅が異なるように構成される
ことを特徴とする請求項１に記載の電子時計。
【請求項３】
前記外部信号は、歩度測定の成否を示す信号であり、
前記歩度パルス制御手段は、
歩度測定が成功したと判断した場合、歩度パルスの幅を維持し、
歩度測定が失敗したと判断した場合、歩度パルスの幅を広げる
ことを特徴とする請求項２に記載の電子時計。
【請求項４】
前記外部信号は所定期間内に検出されるように構成され、
前記歩度パルス制御手段は、
前記所定期間内に前記外部信号を検出できなかった場合には、最小幅の歩度パルスを選択する
ことを特徴とする請求項２または３に記載の電子時計。
【請求項５】
前記歩度パルス制御手段は、歩度測定の失敗判断が所定回数に達した場合、
前記歩度パルスの出力を停止する
ことを特徴とする請求項１から４のいずれか１つに記載の電子時計。
【請求項６】
前記歩度パルスを出力する歩度パルス出力モードと、
前記歩度パルスの出力を停止する歩度パルス停止モードと、を有し、
外部からの所定入力により、前記歩度パルス出力モードと前記歩度パルス停止モードを切り替える
モード制御手段を有する
ことを特徴とする請求項１から５のいずれか１つに記載の電子時計。
【請求項７】
請求項１から６のいずれか１つに電子時計からの磁界を受けて歩度を測定し、
歩度測定の成否を示す信号を前記外部信号として出力する歩度測定器。
【発明の詳細な説明】
【技術分野】
【０００１】
本発明は、アナログ電子時計に関するものである。
【背景技術】
【０００２】
電子時計では、歩度を測定する方法としてパルスをコイルに印加することでコイルに流れる電流から発生する磁界を、外部の歩度測定器によって検出するのが一般である。
【０００３】
しかし、一般的な歩度測定器は１秒周期で運針する三針時計に合わせて作成されているため、運針周期の長い二針時計の場合、歩度測定器の測定ゲート時間と指針を駆動する駆動パルスの周期とがマッチングせず、歩度測定が出来なかったり、安定して測定できなかったりする。
【０００４】
そこで、歩度測定において、指針が動かない程度の歩度測定専用のパルス（以下、歩度パルス）により微小の電流を発生させ、発生する磁界を歩度測定器が検出することで測定することがよく行われる。
【０００５】
以下に二針時計の例をとり、従来の方式に関して説明する。
【０００６】
時針、分針をもつ二針のアナログ電子時計はＩＣ内部の運針パルス波形整形回路で整形された運針パルスを駆動回路に供給することでモータを駆動する。該運針パルスは１０秒や２０秒周期に駆動回路へ供給されモータを駆動し、運針パルス波形整形回路とは異なる歩度パルス波形整形回路で整形したモータを駆動しない１秒周期の歩度パルスで、モータコイルに電流を流し歩度測定を行う。（特許文献１参照）
【先行技術文献】
【特許文献】
【０００７】
【特許文献１】特開２０００−１２１７５８号公報（段落０００２〜０００４、図２）
【発明の概要】
【発明が解決しようとする課題】
【０００８】
従来の技術では、歩度パルス波形整形回路で整形する歩度パルスの形状は固定である。これは、時計用ＩＣの仕様を簡略化するためである。しかし、アナログ電子時計には様々な機種があり、各々でモータの位置や向き、外装の厚さなどが異なるため、機種に対応した歩度パルスを設定しないと、安定して歩度測定ができないことが生じる。
【０００９】
これに対し、最も歩度測定に不利な機種の条件に合わせた歩度パルス、つまりモータコイルに発生する磁界が大きく得られるような歩度パルスを歩度パルス波形整形回路でパルス整形し、様々な機種において安定して歩度を測定する方式が考えられる。
【００１０】
しかし、この方法は、測定に有利な機種にとってはモータコイルに発生する磁界を大きくするために過剰に電流を流すことになり、無駄な電力を消費することになってしまう。
【００１１】
本発明の目的は、様々な機種における最適な歩度パルスを選択制御し、安定した歩度測定が可能な電子時計を提供する。
【課題を解決するための手段】
【００１２】
本発明は、上記目的を達成するため、次の様な構成をしている。即ち、
コイルと、該コイルを駆動し磁界を発生させる駆動手段と、
該駆動手段にて前記コイルを駆動するための歩度パルスを出力する歩度パルス波形整形手段と、を有する電子時計であって、
前記歩度パルス波形整形手段は、複数種類の歩度パルスを出力可能に構成されるとともに、外部信号により前記コイルに発生する逆起電力を信号に変換する逆起検出手段と、
該逆起検出手段からの出力を受け、前記歩度パルス波形整形手段に対し、
前記複数種類の歩度パルスからの１つの前記歩度パルスを選択指示する歩度パルス制御手段とを有することを特徴とする。
【発明の効果】
【００１３】
以上のように本発明によれば、歩度測定器からの返答信号に基づき歩度パルスを選択制御することで、機種ごとにコイル配置等の構造の違いや外装の厚さの違いがあったとしても、歩度測定に適した歩度パルスを選択するため、安定した歩度測定が保証できる。
【００１４】
また、測定を可能とする最小電力の歩度パルスを選択するため、従来のように歩度パルス形状を固定とするより低消電化を図ることができる。
【図面の簡単な説明】
【００１５】
【図１】本発明の第１の実施形態の回路構成を示すブロック線図である。
【図２】本発明の第１の実施の形態の電子時計の回路が発生する歩度パルスの波形図である。
【図３】本発明の第１の実施の形態の電子時計の回路動作を示すタイミングチャート図である。
【図４】本発明の第１の実施の形態の歩度測定器が発生する返答信号を示す波形図である。
【図５】本発明の第１の実施の形態の歩度パルス制御手段の回路構成を示すブロック線図である。
【図６】本発明の第１の実施の形態の電子時計のフローチャート図である。
【図７】本発明の第２の実施形態の回路構成を示すブロック線図である。
【図８】本発明の第２の実施の形態の電子時計の回路動作を示すタイミングチャート図である。
【図９】本発明の第２の実施の形態の歩度パルス制御手段の回路構成を示すブロック線図である。
【図１０】本発明の第２の実施の形態の電子時計のフローチャート図である。
【発明を実施するための形態】
【００１６】
［第１の実施の形態］
第１の実施の形態は、歩度測定器からの応答信号に応じて、効率の良い最適な歩度測定パルスを選択制御するものである。以下、本発明に係る第１の実施形態を図面に基づいて説明する。
【００１７】
図１は本発明の第１の実施の形態の電子時計の回路構成を示すブロック線図、図２は本発明の第１の実施の形態の電子時計の回路が発生する歩度測定パルスの波形図、図３は本発明の第１の実施の形態の電子時計の回路の動作を示すタイミングチャート図である。
【００１８】
なお、以下の実施例では、本発明にかかわる歩度パルス出力に関する構成要素のみを記載し、その他の構成要素（駆動パルス発生手段など）の記載は省略している。
【００１９】
図１において、歩度測定器６以外の構成要素が、本発明の電子時計を構成する。
【００２０】
１は水晶振動子（不図示）の発振により基準クロックを生成する発振手段、２は発振回路１からの基準信号を分周する分周回路である。
【００２１】
３は、歩度パルスを波形整形する歩度パルス波形整形手段である。歩度パルス波形整形手段３は、後述する歩度パルスランク制御手段８００の信号に基づいて、図２に示す如きパルス幅が３０．５μｓの歩度パルスＡ、パルス幅が６１μｓの歩度パルスＢ、パルス幅が１２２μｓの歩度パルスＣ、パルス幅が２４４μｓの歩度パルスＤのいずれかを波形整形する。また、図３に示す如き歩度パルスの出力周期は、分周回路２からの基準信号で決定する。
【００２２】
４は駆動手段であり、歩度パルス波形整形手段３から出力される歩度パルスを、指針などを駆動するモータ(不図示)のコイル５に供給する。それにより、コイル５に電流が流れ、磁界が発生する。なお、コイル５に流れる電流の大きさはパルス幅が大きいほど大きくなり発生する磁界も大きくなる。
【００２３】
外部装置である歩度測定器６は、コイル５に発生した磁界を内蔵コイル６ａで検出することで歩度を測定する。なお、歩度測定器６における歩度測定の原理は公知の技術なので、これ以上の詳細説明は省略する。さらに、歩度測定器６は、歩度パルスで発生した磁界を検出できたか否かをあらわす返答信号を内蔵コイル６ａから出力する。コイル５は歩度測定器６からの返答信号を検出する検出コイルとしての役割を果たし、返答信号を検出すると逆起電流を発生させる。逆起検出手段７は該逆起電流を電圧変換し、後述する通信成否判定手段８１０に返答信号を伝達する。
【００２４】
８は、通信成否判定手段８１０と歩度パルスランク制御手段８００で構成された歩度パルス制御手段である。通信成否判定手段８１０は、逆起検出手段７から伝達された信号を解析し歩度測定が成功したか否か、あるいは歩度測定していないかを判定し、判定結果信号を歩度パルスランク制御手段８００に伝達する。
【００２５】
歩度パルスランク制御手段８００は、通信成否判定手段８１０の判定結果を基に歩度パルスのランクを管理し、ランク値が「０」であれば前述した歩度パルスＡが、「１」であれば前述した歩度パルスＢが、「２」であれば前述した歩度パルスＣが、「３」であれば前述した歩度パルスＤが歩度パルス波形整形手段３でパルス整形されるための基準信号を分周回路２の基準信号から選択し、歩度パルス波形整形手段３へ伝達する。
【００２６】
図３に示すように、１Ｈｚというようなある特定の一定周期で歩度パルスを出力することで歩度測定器６によって歩度が測定される。また、歩度パルスが出力されたタイミングから所定時間後に通信成否判定期間を設け、その期間内に歩度測定器６からの返答信号を受け取り歩度測定の成否判定を行う。
【００２７】
図４は、本発明の第１の実施の形態の歩度測定器の測定状態に応じて返答する返答信号の波形図を示す。図４（ａ）は、歩度測定成功時の返答信号であり、クロックパルス数が「１」の信号である。
【００２８】
図４（ｂ）は、歩度測定失敗時の返答信号であり、クロックパルス数が「２」の信号である。
また、歩度測定していない際には、図４（ｃ）に示すように返答信号はなく、クロックパルス数は「０」である。
【００２９】
図５は、本発明の第１の実施の形態の歩度パルス制御手段８の回路構成を示す。歩度パルス制御手段８は、通信成否判定手段８１０と歩度パルスランク制御手段８００で構成さ
れる。
【００３０】
また、通信成否判定手段８１０は歩度測定が成功・失敗もしくは測定を行っていないかを判定する返答信号監視手段８１１と、その判定結果に基づき後述する歩度パルスランク選択手段８０１の動作制御を行う歩度パルスランク選択制御手段８１２で構成される。
【００３１】
歩度パルスランク制御手段８００は、歩度パルスランク選択手段８０１と、歩度パルスのランク値に応じて歩度パルス波形整形手段３へ伝達する基準信号を選択出力する基準信号選択手段８０２で構成される。基準信号選択手段８０２はランク値に応じて、分周手段２から伝達される複数の基準信号の中から選択出力するセレクタであり、マルチプレクサ等で構成する。なお、返答信号監視手段８１１と歩度パルスランク選択手段８０１が保持する値を２進数で「００」「０１」「１０」「１１」と設定すれば２ｂｉｔの２進カウンタで構成可能である。さらに、歩度パルスランク選択手段８０１が保持する値が歩度パルスのランク値に相当し、「００」であればランク値「０」、「０１」であればランク値「１」、「１０」であればランク値「２」、「１１」であればランク値「３」とする。
【００３２】
続いて上記構成の動作について説明する。
【００３３】
図５の返答信号監視手段８１１は、歩度測定器６から図３に示した通信成否判定期間に返答された信号を基に逆起検出手段７から伝達された通信成否信号のクロックパルス数をカウントすることで、通信成否を判定する。なお、通信成否判定開始直前の返答信号監視手段８１１の値は「００」とする。
【００３４】
ここで、図３の如き歩度パルスを出力した後の通信成否判定期間内に、図４（ａ）の如き、クロックパルス数「１」の返答信号が歩度測定器から送られると、返答信号監視手段８１１の値は「００」から「０１」にインクリメントされる。一方、通信成否期間内に図４（ｂ）の如き、クロックパルス数「２」である返答信号が送られると、返答信号監視手段８１１の値は、「００」から「１０」にインクリメントされる。また、測定を行っていない場合には、図４（ｃ）如き、クロックパルス数は「０」のため返答信号監視手段８１１の値は「００」のまま変化しない。
【００３５】
歩度パルスランク選択制御手段８１２は、返答信号監視手段８１１の保持値に従って歩度パルスランク選択手段８０１の動作制御をする。
【００３６】
始めに、歩度パルスランク選択手段８０１の初期値は、最も幅の狭い歩度パルスＡを示す「００」に設定されているものとする。
【００３７】
返答信号監視手段８１１の値が「０１」であれば、歩度測定器６は歩度パルスの検出に成功しているので、現状の歩度パルスの幅を広げる必要は無い。従って、歩度パルスランク選択制御手段８１２は歩度パルスランク選択手段８０１の値を「００」に保持するよう制御する。
【００３８】
返答信号監視手段８１１の値が「１０」であれば、歩度測定器６は歩度パルスの検出に失敗しているので、歩度パルスの幅を広げ、コイル５から現状よりも強い磁界を発生させる必要がある。従って、歩度パルスランク選択制御回路８１２は歩度パルスランク選択手段８０１の値を「００」から「０１」にインクリメントするよう制御する。
【００３９】
返答信号監視手段８１１の値が「００」であれば、歩度測定器６から信号が送信されていないか、歩度測定器６からの信号が受信できない状況である。このような場合、歩度測定を実施していない状況であると考えられる。従って、歩度パルスランク選択制御回路８
１２は歩度パルスランク選択手段８０１の値を最も幅の狭い歩度パルスＡを示す「００」にカウントリセットするよう制御し、歩度パルスによる無駄な消費電流の増加を防止する。
【００４０】
同様に、返答信号監視手段８１１の値が「１１」の場合も、歩度パルスランク選択手段８０１の値を「００」にリセットするよう制御する。「１１」は本来ありえないが、エラーディフェンスのため設定している。
【００４１】
基準信号選択手段８０２は、歩度パルスランク選択手段８０１のランク値に基づき分周回路手段２の基準信号を選択し歩度パルス波形整形手段３に伝達する。
【００４２】
基準信号選択手段８０２は、ランク値が「０」であれば、歩度パルス波形整形手段３が歩度パルスＡのパルス整形に必要な基準信号Ａを選択出力する。また、ランク値が「１」であれば、歩度パルスＢのパルス整形に必要な基準信号Ｂを、ランク値が「２」であれば、歩度パルスＣのパルス整形に必要な基準信号Ｃ、ランク値が「３」であれば、歩度パルスＤのパルス整形に必要な基準信号Ｄを選択出力する。
【００４３】
歩度パルス波形整形手段３は、歩度パルスランク制御手段８００から伝達されたランク値に応じた基準信号でパルス整形して、次ステップにおいて前記整形した歩度パルスを用いて歩度測定を行い、歩度パルスが出力される度に、歩度測定の成否判定、歩度パルスのランク値決定を行う。
【００４４】
図６に、本発明の第１の実施の形態の電子時計の動作を、フローチャートにまとめて示す。図６に示すように、歩度パルスを出力するタイミングで本動作フローを開始する(ＳＴＡＲＴ)。
まず、歩度パルスが出力する（ステップＳＴ１）。このとき出力した歩度パルスを、図２に示す如き、ランク値「０」の歩度パルスＡとする。
【００４５】
次に、図３に示す通信成否判定期間中に、通信成否判定手段８１０は、歩度測定器６から送られる図４に示す返答信号に基づき、歩度測定を行ったか否か判定する（ステップＳＴ２）。そして測定したと判定した場合、その測定が成功したか失敗したかを判断する（ステップＳＴ３）。ここで成功と判定した場合は、パルスランク選択手段８０１の値、つまり歩度パルスのランク値を維持（ステップＳＴ４）して、動作フローを完了する（ＥＮＤ）。再度、歩度パルスの出力タイミングでフローが開始されると、歩度パルスのランク値は維持していたため、ステップＳＴ１では前回と同様のランク値「０」の歩度パルスＡを出力し、該歩度パルスで歩度測定を行うことになる。
【００４６】
一方、失敗と判定した場合は、パルスランク選択手段８０１の値を＋１インクリメントし、ランク値を「０」から「１」へとランクアップ（ステップＳＴ５）させ、動作フローを完了する（ＥＮＤ）。またここでは、再度歩度パルスの出力タイミングが訪れフローが開始されると、前回のフローでランク値を「１」にランクアップしたため、歩度パルス波形整形手段３でランク値「１」の歩度パルスＢが整形され、ステップＳＴ１では、歩度パルスＢを用いて歩度測定を行うことになる。
【００４７】
さらに、歩度パルスＢを出力後に測定成否の判定を行った結果、成功判定した場合はランク値を「１」で維持し、失敗判定した場合は、ランク値をさらに「１」から「２」へランクアップさせ、次の歩度パルスのタイミングでは歩度パルスＣを出力する。
【００４８】
歩度パルスＣの出力後にも同様に、測定成否の判定を行い成功と判定した場合はランク値を「２」で維持し、失敗判定した場合は、ランク値を「２」から最大ランクの「３」へ
ランクアップさせ、次のタイミングで歩度パルスＤを出力する。
【００４９】
そしてさらに、歩度パルスＤの出力後に測定成否の判定を行った結果、成功判定時にはランク値を「３」で維持するが、失敗判定した場合は、ランク値を最大ランクの「３」から最小ランクの「０」にリセットし、次の歩度パルスタイミングで歩度パルスＡを出力する。歩度パルスＡ出力後の動作は前述したフローの通り行う。なおステップＳＴ２にて、通信成否判定手段８１０が歩度測定を行わなかったと判定すると、歩度パルスのランク値を強制的に「０」にし（ステップＳＴ６）、動作フローを完了する。
【００５０】
以上のように、歩度パルス出力後に歩度測定の成否判定を行い、その判定結果に基づき歩度パルスのランク値を決定する手段をとることで、たとえ機種ごとに異なるコイル配置等の構造の違いや外装の厚さの違いがあっても、機種における最適な歩度パルスを選択することになり安定して歩度測定が可能になる。また歩度測定を行っていないと判定した際に最小ランク値の「０」とすることで、歩度パルスの消費電力は極力少なくなり、電子時計の消費電力を小さく抑えることができる。
【００５１】
［第１の実施の形態の変形例］
なお、上記説明は、本実施形態の一例を示したものであり、例えば以下のように変形を行ってもよい。
【００５２】
（１）歩度パルスランク選択手段８０１を２ｂｉｔの２進カウンタで構成し、図３に示すごとき４種類の歩度パルスの選択制御に関して論じたが、歩度パルスランク選択手段８０１のｂｉｔ数を増やし選択可能な歩度パルスの種類を増やせるような構成にすることで、より測定精度を向上するような方式をとっても構わない。また、図３に示すごとき歩度パルスのパルス幅は上記数値に限定されるものではない。
【００５３】
（２）返答信号監視手段８１１を２ｂｉｔの２進カウンタで構成し、返答信号のクロックパルス数をカウントすることで測定の成否判定を行う方式で論じたが、さらなる成否判定の精度向上のため、歩度測定器から送れられる成功時および失敗時の返答信号と同一の信号をＩＣ内に判定信号として予め用意しておき、歩度測定器６からの返答信号と照合することで成否判定を行う方式をとっても構わない。
【００５４】
（３）返答信号監視手段８１１の値が「１１」の場合に、エラーディフェンスのため歩度パルスランク選択手段８０１の値を「００」にリセットするように制御したが、それに限らず、返答信号監視手段８１１の値が「１１」の場合には、歩度パルスランク制御手段８０１に対して無効制御とするような方式をとっても構わない。
【００５５】
（４）歩度パルスＤ出力後の測定成否の判定を行い、失敗判定した場合はランク値を「３」から「０」にしたが、ランク値を「０」にするのではなく「３」を維持し、歩度測定にあたり最も有効な最大ランクの歩度パルスＤを出力するようにしても良い。さらに前記状態で、歩度パルスＤを所定回数出力しても一度も成功判定とならなかった際にはランク値を「０」にし、消費電力を低減するような方式でも構わない。
【００５６】
［第２の実施の形態］
第２の実施の形態は、第１の実施の形態に、外部操作に応じて歩度パルスの出力制御する手段を加えた方法の例である。
以下、本発明に係る第２の実施の形態を図面に基づいて説明する。
【００５７】
図７は本発明の第２の実施の形態の電子時計の回路構成を示すブロック線図である。図７において、歩度パルス制御手段８の回路構成と外部操作手段９以外の構成要素は図１と
同一であるため、図１と同じ番号を付し説明を省略する。
【００５８】
また、第２の実施の形態の電子時計の回路が発生する歩度測定パルスの波形図は図２、歩度測定器が通信状態に応じて返答する返答信号は図４と同じであるため、これを援用して説明することとする。
【００５９】
図７において、歩度パルス制御手段８は、図１に示す歩度パルスランク選択手段８００と通信成否判定手段８１０に加え、歩度パルス出力停止手段８２０とモード制御手段８３０で構成する。
【００６０】
第１の実施の形態と同様に、歩度パルスランク選択手段８００は歩度パルスのランク値を、図４に示す如き歩度測定器６からの返答信号に対して通信成否断定手段８１０が成否判定した結果に基づいて管理する。
歩度パルス出力制御手段８２０も、通信成否判定手段８１０の判定結果に基づき制御され、歩度パルス波形整形手段３に歩度パルス停止信号を伝達する。歩度パルス波形整形手段３が該停止信号を受けると、歩度パルスが波形整形されないように制御され、結果、歩度パルスが出力されないようにする。
【００６１】
また、歩度パルス出力制御手段８２０は、後述するモード制御手段８３０からの伝達信号にも制御される。モード制御手段８３０は、外部操作手段９からの入力信号に基づき、一定の周期で歩度パルスを出力する状態、もしくは歩度パルスを出力しない状態を選択し、選択した状態へと移行させる。以後、歩度を一定の周期で出力する状態を歩度パルス出力モードとする。外部操作手段９は、例えば、リューズやプッシュボタンといった電子時計に備え付けられた外部部材を操作することでＩＣ内部に電気信号を伝達する手段である。図７においては、リューズやプッシュボタンの図示は省略している。
【００６２】
ここで、例としてリューズを引いた状態に歩度パルスを一定の周期で出力する仕様について述べる。
リューズを引くと外部操作手段９は前記状態を示す信号をモード制御手段８３０に伝え、歩度パルス出力モードへと移行する。リューズを引いた状態から引いていない状態に戻すと、歩度パルス出力モードはモード解除され、歩度パルスを出力しない状態に移行する。歩度パルスを出力しない状態へ移行されると、歩度パルス出力制御手段８２０は歩度パルス波形整形手段３に歩度パルス停止信号を伝達し、歩度パルスが波形整形されないように制御する。反対に、歩度パルス出力モードへ移行させた場合は、通信成否判定手段８１０によって制御された歩度パルス出力制御手段８２０から歩度パルス停止信号が伝達されない限りは、歩度パルスランク制御手段８００のランク値に応じた歩度パルスが歩度パルス波形整形手段３で波形整形されるよう制御する。以上のように制御することで、リューズを引いている間に歩度パルスが出力されることになる。
【００６３】
図８は本発明の第２の実施の形態の電子時計の回路の動作を示すタイミングチャート図である。
図８において、外部操作手段９の操作によって歩度パルス出力モードへと移行すると、歩度パルスは特定の一定周期で出力され、歩度測定器６によって歩度が測定される。また、歩度パルス出力モードにおいては歩度パルスの出力から所定時間後に歩度測定器６からの返答信号を受け取り通信の成功・失敗を判定する通信成否判定期間を設ける。その後、外部操作手段９の操作によって歩度パルス出力モードが解除されると、歩度パルスの出力をせず、さらに通信成否判定期間も無くすよう制御する。
【００６４】
図９は、本発明の第２の実施の形態の歩度パルス制御手段８の回路構成を示す。
図９において、歩度パルス制御手段８は、通信成否判定手段８１０、歩度パルスランク
選択手段８００歩度パルス出力制御手段８２０、モード制御手段８３０で構成される。通信成否判定手段８１０は、第１の実施の形態と同様に、歩度測定の成否もしくは測定していないかを判定するための返答信号監視手段８１１と、その判定結果に基づき後述する歩度パルスランク選択手段８０１の動作制御を行う歩度パルスランク選択制御手段８１２で構成される。歩度測定の成否判定方法および歩度パルスのランク値決定方法は第１の実施の形態と同一であり省略する。
【００６５】
図９における歩度パルス出力制御手段８２０は、カウント手段８２１と歩度パルス停止手段８２２で構成する。カウント手段８２１は、通信成否判定手段８１０や、モード制御手段８３０の伝達信号によってカウント動作が制御される。歩度パルス停止手段８２２は、カウント手段８２１のカウント値や、モード制御手段８３０の判定信号に基づき、歩度パルス停止信号を歩度パルス波形整形手段３に出力する。
【００６６】
続いて上記構成の動作について説明する。図９において、カウント手段８２１は、例として１０進カウンタで構成し、初期値を「０」とする。カウント手段８２１は、歩度パルス出力後に通信成否判定手段８１０が、図４（ｃ）の如き返答信号を受け、歩度測定していないと判定すると、カウント手段８２１の値を「０」から「１」にインクリメントする。ここで、歩度パルスのランク値は「０」とする。
【００６７】
次に、次ステップの歩度パルス出力後にも測定していないと判定すると、カウント手段８２１の値を「１」から「２」にインクリメントする。前述した動作が繰り返し行われ、カウント手段８２１の値が所定の値、例えば「１０」になった場合に、歩度パルス停止手段８２２から歩度パルス波形整形手段３に歩度パルス停止信号が出力される。歩度パルス波形整形手段３は、該停止信号を受けると歩度パルスを波形整形しないよう制御される。
【００６８】
続いて、通信成否判定手段８１０が成功もしくは失敗と判定した場合の動作に関して述べる。通信成否判定手段８１０が成功もしくは失敗と判定した時には、カウンタ手段８２１の値をリセットし「０」にする。歩度パルスのランク値については、第１の実施の形態で論じたように、通信成否判定手段８１０の判定結果に基づき歩度パルスランク選択手段８００を制御することで歩度パルスのランク値を決定する。
【００６９】
図９において、モード制御手段８３０は、外部操作手段９からの信号を受けて、歩度パルス出力モードへの移行とモード解除を制御する。モード制御手段８３０がモード解除状態にすると、カウント手段８２１の値を「０」に保持するとともに、歩度パルス出力停止手段８２２から歩度パルス波形整形手段３に歩度パルス停止信号が出力される。その結果、歩度パルス生成手段３で歩度パルスが波形整形されないように制御され歩度パルスが出力されなくなる。
【００７０】
一方、モード制御手段８３０が歩度パルス出力モードに移行した場合、歩度パルスランク選択制御手段８１２によるカウント手段８２１のカウント動作制御を許可する。
【００７１】
図１０に本発明の第２の実施の形態の電子時計の動作をフローチャートにまとめて示す。図１０において、ｘは、カウント手段８２１の値（初期値「０」）とし、歩度パルス出力のタイミングで本動作フローが開始される(ＳＴＡＲＴ)。
【００７２】
まず、モード制御手段８３０が外部操作手段９から電気信号を受けて、歩度パルス出力モードに移行しているかどうか判定する（ステップＳＴ１）。歩度パルス出力モードであれば、続くステップに移行し、ｘが所定値であるか判定する。（ステップＳＴ２）。所定値は予め設定しておき、例えば「１０」に設定したとする。ここでｘはまだ「０」であり所定値ではないため、続くステップにて歩度パルスを出力する（ステップＳＴ３）。この
とき出力した歩度パルスを、図２に示す如き、ランク値「０」の歩度パルスＡとする。
【００７３】
次に、図８に示す通信成否判定期間中に、通信成否判定手段８１０は、歩度測定器６から送られる図４に示す返答信号に基づき、歩度測定器６と歩度測定したか否かを判断する（ステップＳＴ４）。
ここで歩度測定したと判断した場合にはｘを「０」にし（ステップＳＴ５）、次に、測定が成功したか失敗したかを判断する。（ステップＳＴ６）。
さらに、成功と判定した場合は、歩度パルスのランク値を保持するよう制御する。（ステップＳＴ７）ここでは、パルスのランク値、つまりパルスランク選択手段８０１の値「０」を維持して動作フローを完了する（ＥＮＤ）。
【００７４】
そして、再度、歩度パルスの出力タイミングが訪れステップＳＴ３まで同じフローを辿ると、歩度パルスのランク値は維持していたため、前回と同様のランク値「０」の歩度パルスＡを出力し歩度測定器６で歩度測定を行う。
【００７５】
一方、失敗と判定した場合は、パルスランク選択手段８０１の値を＋１インクリメントし、ランク値を「０」から「１」へとランクアップ（ステップＳＴ８）させ、動作フローを完了する（ＥＮＤ）。ここで、再度歩度パルスの出力タイミングが訪れステップＳＴ３まで同一のフローを辿ると、前回のフローで歩度パルスのランク値を「１」へとランクアップしたため、ステップＳＴ３で出力する歩度パルスは、ランク値「１」の歩度パルスＢを出力することになる。
【００７６】
さらに、歩度パルスＢを出力した後に歩度測定の成否判定を行った結果、成功した場合はランク値を「１」で維持し、失敗した場合はランク値を「１」から「２」へランクアップさせ、ランク値「２」の歩度パルスＣを出力した後に歩度測定の成否判定を行い成功判定した場合はランク値を「２」で維持し、失敗判定した場合はランク値を「２」から「３」へランクアップさせる。また、ランク値「３」の歩度パルスＤを出力した後に歩度測定の成否判定を行った結果、成功した場合はランク値を「３」で維持し、失敗した場合はランク値を「３」から「０」にする。
【００７７】
ステップＳＴ４にて、返答信号が無く測定しなかったと判定した場合には、パルスランク選択手段８０１の値を「０」にするとともに、カウント手段８２１の値を「０」から「１」にインクリメント（ステップＳＴ９）し、動作フローを完了する（ＥＮＤ）。したがって、再度歩度パルスの出力タイミングが訪れ動作フローが開始されると、ｘの値は「１」、歩度パルスのランク値は「０」の状態で動作フローを開始することになる。また、再度同一のフローを辿った後には、ｘの値は「２」となり、歩度パルスのランク値は「０」となる。
【００７８】
上記ステップＳＴ９を辿るフローを合計１０回繰り返し、つまりｘの値が「１０」になった状態で１１回目のフローを開始すると、ステップＳＴ２で、ｘの値が所定値に等しくなったためこの時点で動作フローを完了する（ＥＮＤ）。したがって、歩度パルスを出力しても歩度測定器から所定値で決めた回数連続して返答信号がなかった、つまり測定しなかったと判断した場合に歩度パルスを停止することを指している。
【００７９】
なお、ステップＳＴ１で歩度パルス出力モードではないと判定された場合には、ｘの値をリセットし「０」にし（ステップＳＴ１０）、動作フローを完了する（ＥＮＤ）。
【００８０】
以上のように、外部操作に応じて歩度パルスの出力制御を可能とした第２の実施の形態においても、歩度測定器６との測定成否の判定結果で歩度パルスのランク値を選択決定する手段をとることで、歩度測定を行うにあたっての最適な歩度パルスを選択することが可
能となり、第１の実施の形態と同様の効果が得られる。さらに、歩度パルス出力の所定時間後に、測定していない状態の回数を計測し、その計測値が予め設定した所定値になった場合に歩度パルスを停止する手段をとることで、測定していない時に歩度パルスを出力することがなくなり無駄な消費電力を削減できる。
【００８１】
［第２の実施の形態の変形例］
なお、上記説明は、本実施形態の一例を示したものであり、例えば以下のように変形を行ってもよい。
【００８２】
（１）第１の実施の形態の変形例と同じく、歩度パルスランク選択手段８０１を２ｂｉｔの２進カウンタで構成し、図３に示すごとき４種類の歩度パルスの選択制御に関して論じたが、歩度パルスランク選択手段８０１のｂｉｔ数を増やし選択可能な歩度パルスの種類を増やせるような構成にすることで、より通信精度を向上するような方式をとっても構わない。また、図３に示すごとき歩度パルスのパルス幅は上記数値に限定されるものではない。また、返答信号監視手段８１１を２ｂｉｔの２進カウンタで構成し、返答信号のクロックパルス数をカウントすることで通信の成否判定を行う方式で論じたが、成功時に送られる返答信号と失敗時に送られる返答信号と同一の判定信号をＩＣ内に予め用意しておき、歩度測定器６からの返答信号と照合し通信成否の判定を行う方式をとっても構わない。
【００８３】
（２）通信成否判定手段８１０が歩度測定していないと判定した場合、カウント手段８２１でその回数を計測し、所定値に達した場合に歩度パルスを停止させる制御方式に関して述べたが、通信成否判定手段８１０が失敗と判定した回数を計測して、その計測値が所定値に達した場合歩度パルスを停止させるようにしても構わない。
【００８４】
（３）外部操作手段９をリューズとして、リューズを引いた状態で歩度パルスが出力されるように制御する方式を論じたが、電子時計に備えられた他の外部部材、例えばプッシュボタンを用いて、歩度パルスの出力と停止を制御しても構わない。さらに、外部制御手段に代わって、通信成否判定手段８１０が測定の成否の判定以外に、歩度測定器６から歩度パルスの出力や停止させる制御信号をＩＣに伝達し、その伝達信号を判定することで歩度パルスの出力制御を行っても構わない。
【００８５】
また、第１、第２の実施の形態に共通する変形例として、以下のようにしても良い。
（１）歩度パルスランク制御手段８００のランク値に応じて、歩度パルス波形整形手段３で生成される歩度パルスのパルス幅を選択決定しコイル５に発生する磁界の強さを調整する方式に関して論じたが、コイル５に発生する磁界の強さを調整する他の方法として、歩度パルスランク制御手段８００のランク値に応じて歩度パルスの電圧レベル設定やコイル６の抵抗値の切替設定を行う方式をとっても構わない。
【００８６】
（２）コイル５は、ステップモータのコイルとして説明を行ってきたが、これに限定されない。ブザー機能を有する時計であれば、ブザーコイルを用いても良い。また、コイル以外に適宜の電磁気変換素子を用いても良い。
【００８７】
以上、本発明の実施の形態を図面により詳述したが、各実施の形態は本発明の例示にしか過ぎず、本発明は実施の形態の構成にのみ限定されるものではない。したがって、本発明の要旨を逸脱しない範囲の設計の変更等があっても本発明に含まれることはもちろんである。
【００８８】
例えば、図１や図７に示すブロック線図は一例であり、上述した動作を行うものであれば他の構成を備えてもよい。歩度パルス制御手段８をマイクロコンピュータで構成し、その他回路をランダムロジックで構成しても良い。このようにすれば、比較的容易に多機種
への適用も実施できる。
【符号の説明】
【００８９】
１  発振手段
２  分周手段
３  歩度パルス波形整形手段
４  駆動手段
５  コイル
６  歩度測定器
７  逆起検出手段
８  歩度パルス制御手段
８００  歩度パルスランク制御手段
８０１  歩度パルスランク選択手段
８０２  基準信号選択手段
８１０  通信成否判定手段
８１１  返答信号監視手段
８１２  歩度パルスランク選択制御手段
８２０  歩度パルス出力制御手段
８２１  カウント手段
８２３  歩度パルス停止手段
８３０  モード制御手段
９  外部操作手段
１００  ＩＣ
【図１】
2015166712.tif 000003
【図２】
2015166712.tif 000004
【図３】
2015166712.tif 000005
【図４】
2015166712.tif 000006
【図５】
2015166712.tif 000007
【図６】
2015166712.tif 000008
【図７】
2015166712.tif 000009
【図８】
2015166712.tif 000010
【図９】
2015166712.tif 000011
【図１０】
2015166712.tif 000012